(57)【要約】【課題】バランスウェイト式と同じように昇降台を昇降させるモータの動力を抑えて搬送効率を向上させるようにしたスタッカクレーンを提供すること。【解決手段】スタッカクレーンＫのマスト２に沿って昇降するようにした昇降台３、４を、索条５の両端に対称的に取り付け、２台の昇降台３、４を互いに相反する方向に昇降させる索条を昇降駆動装置６にて駆動するようにする。【選択図】図１
2007204254.tif 000002
【特許請求の範囲】
【請求項１】
マストに沿って昇降するようにした昇降台を、索条の両端に対称的に取り付け、該２台の昇降台を互いに相反する方向に昇降させる索条を昇降駆動装置にて駆動できるように構成したことを特徴とするスタッカクレーン。
【請求項２】
マストの対向する外側面に沿って各昇降台が昇降するよう構成したことを特徴とする請求項１記載のスタッカクレーン。
【請求項３】
昇降台の昇降駆動装置をマストの頂部に配設したことを特徴とする請求項１又は２記載のスタッカクレーン。
【請求項４】
昇降台に移載装置を搭載したことを特徴とする請求項１、２又は３記載のスタッカクレーン。
【発明の詳細な説明】
【技術分野】
【０００１】
本発明は、スタッカクレーンに関し、特に、索条の両端にそれぞれ昇降台を取り付けることにより、バランスウェイト式と同じように昇降台を昇降させるモータの動力を抑えるとともに、搬送効率を向上させるようにしたスタッカクレーンに関するものである。
【背景技術】
【０００２】
従来、特に限定されるものではないが、例えば、自動倉庫、一時的に貯留するためのストッカーは、可能な限り搬送する部品或いは物品（以下、「搬送物品」という。）をより多く整理して保管或いは貯蔵するように、多段式に隣接するようにして複数の収納棚を配置し、この収納棚のうち所定棚に搬送物品を移載、保管或いは取り出しを、スタッカクレーンＫを用いて行うようにしている。
この自動倉庫、或いはストッカー（いずれも図示省略）内を、その長手方向に沿って走行するようにしたスタッカクレーンＫには昇降台を備え、かつ該昇降台に移載装置を搭載して搬送物品の収納棚への移載、取り出しを任意に行えるようにしている。
【０００３】
また、このスタッカクレーンＫには、図２に示すように、スタッカクレーンＫのマスト２に沿って昇降する昇降台３を、通常１台のみを備え、かつ該昇降台３をワイヤロープなどの索条５の一端側に固定し、他端側には該昇降台とバランスを取るようにしてバランスウェイトＷを取り付け、該索条の巻き取り巻き戻し或いは図示のように索条を駆動ホイールにて移動させることにより昇降台をマストに固定したガイド２１、２２に沿って昇降するように構成している。
なお、図２に示す実施例は、昇降台の基端側の一端をマスト２にガイドされるよう索条５にて昇降可能に吊垂支持した片持ち式のものである。
【０００４】
しかしながら、スタッカクレーンＫは、走行動作と移載装置を搭載した昇降台の昇降動作との組み合わせにより、物品の収納或いは取り出し等の移載を効率的に行うようにしているが、スタッカクレーンＫには通常１台の昇降台しか配設されていないため、場合によってはスタッカクレーンＫが物品の収納或いは取り出しを行う定位置に停止していても、昇降台が所定の棚位置に達していないと、この昇降台が所定の棚位置に達するまで移載動作を待つ必要があり、時間的に無駄が生じ、効率的な移載作業が行えないという問題があった。
【０００５】
また、索条端に取り付けた昇降台に載置する搬送物品の重量が重くなっても昇降台を昇降させるモータの動力を抑え、かつ昇降台とバランスを取るため、索条の他端側にはバランスウェイトを取り付けているが、このバランスウェイトＷは単なるウェイトの役目しかないのに、バランスウェイトＷをガイドに沿って昇降するようするため構造的に複雑となり、かつスタッカクレーンＫが重量化するという問題があった。
【発明の開示】
【発明が解決しようとする課題】
【０００６】
本発明は、従来のスタッカクレーンの有する問題点に鑑み、バランスウェイト式と同じように昇降台を昇降させるモータの動力を抑えて搬送効率を向上させるようにしたスタッカクレーンを提供することを目的とする。
【課題を解決するための手段】
【０００７】
上記目的を達成するため、本発明のスタッカクレーンは、マストに沿って昇降するようにした昇降台を、索条の両端に対称的に取り付け、該２台の昇降台を互いに相反する方向に昇降させる索条を昇降駆動装置にて駆動できるように構成したことを特徴とする。
【０００８】
この場合において、マストの対向する外側面に沿って各昇降台が昇降するよう構成することができる。
【０００９】
また、昇降台の昇降駆動装置をマストの頂部に配設することができる。
【００１０】
また、昇降台に移載装置を搭載することができる。
【発明の効果】
【００１１】
本発明のスタッカクレーンによれば、マストに沿って昇降するようにした昇降台を、索条の両端に対称的に取り付け、該２台の昇降台を互いに相反する方向に昇降させる索条を昇降駆動装置にて駆動できるように構成することにより、構成を複雑にすることなく昇降台数を増すことができ、またモータ動力も増すことなく、昇降台数を２台とすることで搬送効率が向上するとともに、重量を増すことなく従来と同じ簡易な構造にて構成することができる。
【００１２】
また、マストの対向する外側面に沿って各昇降台が昇降するよう構成することにより、片持ち式スタッカクレーンにおいて、バランスウェイトの代わりに昇降台を取り付けることで既設のバランスウェイト式スタッカクレーンに簡易に適用でき、安価に搬送効率を向上させることができる。
【００１３】
また、昇降台の昇降駆動装置をマストの頂部に配設することにより、従来デッドゾーンとなるマストの頂部を有効利用することで、マストの側部及び下部の構成がすっきりし、かつ既設のスタッカクレーンにも適用することができる。
【００１４】
また、昇降台に移載装置を搭載することにより、収納棚との搬送物品の移載が円滑、かつ確実に行うことができる。
【発明を実施するための最良の形態】
【００１５】
以下、本発明のスタッカクレーンの実施の形態を、図面に基づいて説明する。
【実施例１】
【００１６】
図１に、本発明のスタッカクレーンの一実施例を示す。
特に限定されるものではないが、例えば、自動倉庫や液晶製造工場などに設置される一時的に部品等の搬送物品を貯留するためのストッカー（いずれも図示省略）内には、多段式の収納棚（図示省略）を隣接して多数配設し、この収納棚列に沿って走行するようスタッカクレーンＫを配設する。
このスタッカクレーンＫには搬送物品を搬送及び搬入搬出のための移載を行う移載装置を搭載した昇降台を備えて構成する。
【００１７】
スタッカクレーンＫの下部には、走行車輪、走行駆動装置、さらには必要に応じて制御装置を備えて走行可能とした走行台車１を配設し、該走行台車１上に最上段から最下段に至るまでの収納棚への搬送物品の移載を行えるような高さを有するマスト２を樹立し、このマスト２に沿って交互に昇降動作をする２台の昇降台３、４を備える。なお、この２台の昇降台３、４は同じ構成とするものである。
【００１８】
それぞれ移載装置３１、４１を搭載した２台の昇降台３、４がそれぞれマスト２に沿って円滑に、かつ交互に昇降するように、マスト２の対向する両外側面には、図１に示すように、ガイド２１、２２をそれぞれ配設し、この各ガイド２１、２２に導かれて昇降台３、４が索条５により安全に昇降するようにする。
【００１９】
２台の昇降台３、４は、特に限定されるものではないが、例えば、ワイヤロープ等の索条５の両端にそれぞれ対称的に取り付けるとともに、昇降駆動装置６にて索条５をいずれかの方向に選択的に移動するように駆動する。この移動速度は一定、或いは任意に可変的に設定できるようにする。
また、索条５の両端に取り付ける昇降台３、４は、一方の昇降台３が設定された最上位置にあるとき、他方の昇降台４は、設定された最下位置となるようにしてその索条の長さを設定する。
【００２０】
この昇降台３、４を片持ち式にて吊垂して相反方向に昇降させる索条５として、ワイヤロープを採用する場合は、昇降駆動装置６にドラム６１を用いて索条の一部を該ドラム６１に少なくとも１回以上巻き付け、該ドラム６１の回転方向に従って昇降台３、４の昇降移動方向を切り替えるようにし、またチェーンを採用する場合は昇降駆動装置６にスプロケットホイールを用い、これにチェーンの一部を噛合して、その回転方向の切り替えで昇降台３、４の昇降移動方向を切り替えるようにする。
なお、この２台の昇降台３、４は、望ましくは同じ構成、大きさ、重量を有するものを２台採用するが、異なるものを採用することもできる。
【００２１】
次に、本発明のスタッカクレーンの作用について説明する。
一方の昇降台３を高い位置にある所定の棚位置にて搬送物品の移載を収納棚との間で移載装置３１を用いて行う場合、他方の昇降台４は、図１に示すように、マスト２の低い位置にある。そして、昇降台３へ搬送物品の移載を行った後、スタッカクレーンＫを所定の位置まで走行移動させて停止させるとともに、或いは走行中に次の移載棚位置まで昇降台３を降下させ、かつ所定棚位置で停止させて移載装置３１にて搬送物品の移載を行う。
【００２２】
なお、この場合、液晶製造工場などにおいては加工機側への受け渡し口（図示省略）がマスト２の低い位置に配設されているので、昇降台３を受け渡し口まで降下させて搬送物品の移載を行う。
また、他方の昇降台４は、図１に示すように、マスト２の低い位置にあるが、昇降台３の降下に伴って相反方向に上昇することとなり、昇降台３が停止するとき、昇降台４も上昇位置で停止することとなる。
【００２３】
そして、次の搬送物品の移載を行う場合、両昇降台３、４がともに空のとき、移載を行う棚位置に最も近い位置にある昇降台３、４のいずれか一方を、また、運用及び棚配置の条件が合致する場合には、両方の昇降台３、４を、その棚位置に昇降移動させることで次の移載動作に速やかに移ることができ、搬送、移載の効率化を図ることができる。
【００２４】
以上、本発明のスタッカクレーンについて、実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明のスタッカクレーンは、移載装置を搭載した２台の昇降台を互いに相反方向に昇降させて効率的に搬送物品の移載を行うという特性を有していることから、スタッカクレーンの用途に好適に用いることができるほか、例えば、リフタの用途にも用いることができる。
【図面の簡単な説明】
【００２６】
【図１】本発明のスタッカクレーンの一実施例を示す正面図である。
【図２】従来のスタッカクレーンを示す正面図である。
【符号の説明】
【００２７】
Ｋ    スタッカクレーン
１    走行台車
２    マスト
２１  ガイド
２２  ガイド
３    昇降台
３１  移載装置
４    昇降台
４１  移載装置
５    索条
６    昇降駆動装置
６１  ドラム或いはスプロケットホイール
【図１】
2007204254.tif 000003
【図２】
2007204254.tif 000004